(57)【要約】【課題】胴体深部の体温を判定する。【解決手段】体腔入口１２Ａから所定の留置位置Ｐ１、Ｐ２に留置した第１及び第２の温度センサ１１Ａ、１１Ｂから得た温度検出データＤＴＢ、ＤＴＣを基準測温データＶＴに基づいて胴部の深部温度を評価するようにしたことにより、胴部の深部温度を高い精度で判定することができる。【選択図】図２
2010233641.tif 000002
【特許請求の範囲】
【請求項１】
体腔入口から異なる留置距離にある少なくとも２つの第１及び第２の留置位置に第１及び第２の温度センサを留置する留置治具と、
上記第１及び第２の温度センサの温度検出信号から得られる温度検出データの温度及び温度勾配を、基準測温データに基づいて評価することにより、胴部深部の温度を評価する体温データ処理部と
を具えることを特徴とする体腔内留置型モニタ。
【請求項２】
上記基準測温データは、体腔外の気温に対応して、体腔入口から奥の方向に順次所定の距離間隔だけ離れた複数の留置位置における標準の測温温度データ列を有する
ことを特徴とする請求項１に記載の体腔内留置型モニタ。
【請求項３】
上記体温データ処理部は、判定した胴部深部の温度が異常に低いとき警告を発生する警告発生手段を有する
ことを特徴とする請求項１に記載の体腔内留置型モニタ。
【請求項４】
留置治具によって、体腔入口から異なる留置距離にある少なくとも２つの第１及び第２の留置位置に第１及び第２の温度センサを留置する留置ステップと、
体温データ処理部によって、上記第１及び第２の温度センサの温度検出信号から得られる温度データの温度及び温度勾配を、基準測温データに基づいて評価することにより、胴部深部の温度を判定する体温データ処理ステップと
を具えることを特徴とする体腔内留置型モニタ方法。
【発明の詳細な説明】
【技術分野】
【０００１】
本発明は、体腔内留置型温度モニタに関し、特に胴部の深部温度を評価する場合に適用して好適なものである。
【背景技術】
【０００２】
人の健康に関連して、身体の温度を正しく評価することは重要であり、特に女性を中心にして冷えの訴えが多い。
【０００３】
この種の冷えの訴えは、一般には、中年以降の更年期障害の冷えが多いが、近年では若い女性にも冷えの訴えが多い。
【先行技術文献】
【特許文献】
【０００４】
【特許文献１】特開昭５８−１７７６３０号公報
【特許文献２】特開平２−４９１２９号公報
【発明の概要】
【発明が解決しようとする課題】
【０００５】
冷えの評価をする際に、手指、足指などの身体の外部についての冷えは赤外線温度計などによって皮膚温を簡便に測定できるため、客観的な評価をし易い。
【０００６】
しかしながら、身体の内部、特に胴部の冷えは測定し難く、さらには皮膚温ではなく、胴部の深部温度の評価について、従来は、有効な手段が少なかった（特許文献１及び２参照）。
【０００７】
本発明は以上の点を考慮してなされたもので、胴部の深部温度を十分な精度で判定できる検温データを取得し得る体腔内留置型温度モニタを提案しようとするものである。
【課題を解決するための手段】
【０００８】
かかる課題を解決するため本発明においては、体腔入口１２Ａから異なる留置距離Ｄ１、Ｄ２にある少なくとも２つの第１及び第２の留置位置Ｐ１、Ｐ２に第１及び第２の温度センサ１１Ａ、１１Ｂを留置する留置治具１３と、第１及び第２の温度センサ１１Ａ、１１Ｂの温度検出信号から得られる温度検出データＤＴＢ、ＤＴＣの温度及び温度勾配を、基準測温データＶＴに基づいて評価することにより、胴部の深部温度を判定する体温データ処理部３とを設けるようにする。
【発明の効果】
【０００９】
本発明によれば、体腔入口から所定の留置位置に留置した第１及び第２の温度センサから得た温度検出データを基準測温データに基づいて評価することによって胴部の深部温度を判定するようにしたことにより、胴体の深部温度を高い精度で判定することができる。
【図面の簡単な説明】
【００１０】
【図１】本発明の一実施の対応である体腔内留置型モニタを示す電気的ブロック図である。
【図２】体腔内の温度センサの留置位置の説明に供する略線図である。
【図３】挿入具を示す断面図である。
【図４】（Ａ）、（Ｂ）及び（Ｃ）に挿入用具を示す裏面図、表示図及び断面図である。
【図５】検温処理手順を示すフローチャートである。
【図６】図１の体温検出データメモリを示す略線図である。
【図７】基準測温データの説明に供する略線図である。
【図８】基準測温データ列の温度及び勾配の説明に供する特性曲線図である。
【図９】挿入部の第２の実施の形態を示す断面図である。
【発明を実施するための形態】
【００１１】
以下図面について、本発明の一実施の形態を詳述する。
【００１２】
図１において、１は全体として体腔内留置型モニタを示し、体温検出部２から得た体温検出信号Ｓ１に基づいて、体温データ処理部３が被験者である女性の胴部の深部温度を表す体温データを得るための処理を実行する。
【００１３】
体温検出部２はサーミスタでなる２つの温度センサ、すなわち第１及び第２の温度センサ１１Ａ及び１１Ｂを有し、当該第１及び第２の温度センサ１１Ａ及び１１Ｂは、体腔温度を測定すべき体腔１２（この実施の形態の場合膣）内に、図２に示すように、体腔入口１２Ａの位置Ｐ０を基準にして体腔１２内の予め決めた所定の留置位置Ｐ１及びＰ２に、留置治具１３を用いて留置される。
【００１４】
第１及び第２の温度センサ１１Ａ及び１１Ｂの留置位置Ｐ１及びＰ２は、体腔１２である膣の入口、すなわち体腔入口１２Ａから体の深部方向に留置距離Ｄ１及びＤ２だけ離れた位置に設けられる。
【００１５】
かくして第１の温度センサ１１Ａは、体腔入口１２Ａから留置距離Ｄ１だけ胴部深部に入った留置位置Ｐ１の体腔温度を表す第１の体温検出信号Ｓ１１を信号導出線１４Ａに送り出す。
【００１６】
これと同時に第２の温度センサ１１Ｂは、体腔入口１２Ａから留置距離Ｄ２、従って留置距離Ｄ１より留置間隔ＤＸだけ奥の留置位置Ｐ２における体腔温度を信号導出線１４Ｂに送出する。
【００１７】
留置治具１３の第１及び第２の温度センサ１１Ａ及び１１Ｂを体腔１２内の留置位置Ｐ１及びＰ２に留置する手段として、図３に示すような挿入具２１を適用し得る。
【００１８】
挿入具２１は、先端部に砲弾型の膨出部２２を形成してなる円筒状外筒２３内に、その中心軸に沿って摺動自在の円筒状内筒２４を嵌め込んだ構成を有し、膨出部２２の先端側に入れられた、強い吸湿性をもつタンポン２５を留置冶具１３として内筒２４の先端に設けられた押出部材２６によって保持している。
【００１９】
膨出部２２の先端には可撓性を有する複数の花びら状扉片を有する扉部材２７が設けられ、外筒２３を先端側から体腔入口１２Ａを通って体腔１２に挿入して外筒２３の後端側に設けられた位置決め部材としての鍔部２８を体腔入口１２Ａに当接させた状態で、内筒２４を押込み長さＤ３だけ押し込む操作ができるようになされている。
【００２０】
このとき内筒２４の先端の押出部材２６がタンポン２５によって扉部材２７を押し広げさせながら当該タンポンを前方外部に押し出す。
【００２１】
留置治具１３を構成するタンポン２５には留置間隔ＤＸだけ離れた位置に第１及び第２の温度センサ１１Ａ及び１１Ｂが設けられており、これにより内筒２４が押込み操作されることにより扉部材２７から前方に押し出されたタンポン２５に設けられた第１及び第２の温度センサ１１Ａ及び１１Ｂは留置間隔ＤＸを維持しながら、体腔１２を構成する膣内の留置位置Ｄ１及びＤ２に位置決めされる。
【００２２】
かくして、先端に膨出部２２を有する外筒２３及び内筒２４は、挿入具２１を体腔１２の体腔入口１２Ａから体腔１２の深部に挿入させるためのアプリケータとしての役割を果す。
【００２３】
外筒２３の鍔部２８と第１及び第２の温度センサ１１Ａ及び１１Ｂの位置は、鍔部２８の位置Ｐ０Ｘを基準にして、留置距離Ｄ１及びＤ２から押込み長さＤ３だけ短かい距離Ｄ１−Ｄ３及びＤ２−Ｄ３の位置Ｐ１Ｘ及びＰ２Ｘとなるように選定され、これによりタンポン２５が膨出部２２から押し出されたとき、第１及び第２の温度センサ１１Ａ及び１１Ｂが体腔入口１２Ａから留置距離Ｄ１及びＤ２の留置位置Ｐ１及びＰ２に位置決めされるようになされている。
【００２４】
かくして体腔１２内にタンポン２５が位置決めされた状態において、外筒２３及びこれに嵌め込まれた内筒２４を体腔入口１２Ａから外部に引き出すことにより、留置治具１３によって体腔１２Ａの留置位置Ｐ１及びＰ２に第１及び第２の温度センサ１１Ａ及び１１Ｂを留置した構成の体温検出部２を得ることができる。
【００２５】
この実施の形態の場合、留置位置Ｐ１及びＰ２は、体腔入口１２Ａの位置Ｐ０を基準にして、留置距離Ｄ１＝６〔ｃｍ〕及びＤ２＝９〔ｃｍ〕の位置に選定されている。
【００２６】
タンポン２５の後端面には引出しひも２９が内筒２４を通って外部に導出されており、当該引出しひも２９に対して信号導出線１４Ａ及び１４Ｂが束ね合わされていることにより、信号導出線１４Ａ及び１４Ｂが体腔１２から体腔入口１２Ａを介して外部に導出されている。
【００２７】
かくして体腔１２内に留置された留置治具１３は体温の検温処理が終了した後に、引出しひも２９によって体腔入口１２Ａから外部に引き出されることにより回収される。
【００２８】
このようにして留置位置Ｐ１及びＰ２に留置された第１及び第２の温度センサ１１Ａ及び１１Ｂから得られる体温検出信号Ｓ１１及びＳ１２は、導出線１４Ａ及び１４Ｂの先端に設けられた有接点型の検出素子側コネクタ１５を介して、体温データ処理部３のデータ処理部側コネクタ３５を通って体温検出信号入力部３６に取り込まれる。
【００２９】
この実施の形態の場合、挿入具２１を体腔１２内に挿入して留置冶具１３を所定の位置に位置決めするため、図４に示す挿入用具３０を用いる。
【００３０】
挿入用具３０は、挿入具２１を皮膚当接シート部材３０Ａに組み合せた構成を有する。
【００３１】
皮膚当接シート部材３０Ａは、間に幅狭部分３０Ｂを挟んで、両端に幅広部分３０Ｃ１及び３０Ｃ２を中心線Ｌ１１上に配設してなるシート本体３０Ｄを有し、全体として厚さ１〜２〔ｍｍ〕程度の柔らかくかつ吸湿性の大きいシート材料でなり、幅狭部分３０Ｂの中央位置に貫通孔３０Ｅが穿設されている。
【００３２】
貫通孔３０Ｅには、表面３０Ｄ１（図４（Ｂ））側から裏面３０Ｄ２（図４（Ａ））側に先端側の膨出部２２を挿通して鍔部２８が表面３０Ｄ１に当接した状態になるように、挿入具２１が挿入され、鍔部２８及び当該鍔部２８から後端側に突出している内筒２４及び引出しひも２９の部分がシート本体３０Ｄの表面３０Ｄ１に塗布されている粘着層３０Ｆに粘着保持されている。
【００３３】
この実施の形態の場合、体温データ処理部３はシート本体３０Ｄの幅広部分３０Ｃ２の厚さ部分に埋め込まれ、鍔部２８の表面３０Ｄ１側において引出しひも２９から分けられた導出線１４Ａ及び１４Ｂにコネクタ３５及び１５を介して接続され、これによりシート本体３０Ｄが被験者から回収されたとき、これと一緒に体温データ処理部３、従って蓄積された検温データを回収できるようになされている。
【００３４】
かくして、挿入用具３０は、使用状態ではないときは、図４（Ｂ）に示すように、内筒２４及び引出しひも２９が柔軟性を有するシート本体３０Ｄの表面３０Ｄ１の粘着層３０Ｆに粘着していることにより、先端側の外筒２３（及びその膨出部２２）が、図４（Ｃ）に示すように、シート本体３０Ｄの裏面３０Ｄ２に当接した状態で製品エンベロープ（図示せず）に収納できるようになされている。
【００３５】
図４の構成の挿入用具３０は、使用開始時、被験者がシート本体３０Ｄの裏面３０Ｄ２から膨出部２２を起立させてこれを当該裏面３０Ｄ２が体腔入口１２Ａの周囲の皮膚に当接させるまでの深さに挿入し、その後表面３０Ｄ１側において粘着層３０Ｆから離されて起立している内筒２４を鍔部２８、従ってシート本体３０Ｄの表面３０Ｄ１の位置まで押し込み、その後鍔部２８を指で摘んで外筒２３を内筒２４と一緒にシート本体３０Ｄの表面３０Ｄ１側から引き抜くようになされている。
【００３６】
この実施の形態の場合、図４（Ｃ）に示すように、外筒２３及び内筒２４には、その長さ全体に亘って信号線取出用のスリット３０Ｇが設けられ、これにより、第１及び第２の温度センサ１１Ａ及び１１Ｂから体温データ処理部３に検出信号を導出する導出線１４Ａ及び１４Ｂを接続したまま、外筒２３及び内筒２４を体腔１２から引き抜くことができるようになされている。
【００３７】
シート本体３０Ｄの表面３０Ｄ１に塗布された粘着層３０Ｆは、留置治具１３、従って第１及び第２の温度センサ１１Ａ及び１１Ｂが体腔１２内に留置された検温モード時、被験者の例えば下着に粘着することにより、例えば被験者が動いたとしても、引出しひも２９及び導出線１４Ａ及び１４Ｂを体腔入口１２Ａに安定に保持できるようになされている。
【００３８】
体温検出信号入力部３６はサーミスタでなる第１及び第２の温度センサ１１Ａ及び１１Ｂから送り込まれるアナログ信号でなる第１及び第２の体温検出信号Ｓ１１及びＳ１２をディジタル体温検出データに変換してバス３７に渡す。
【００３９】
体温データ処理部３はバス３７に接続された中央処理ユニット（ＣＰＵ）３８がプログラムメモリ３９のプログラムを実行することにより、操作入力部４０から入力される被験者の入力命令に応じて動作メモリ４１を用いてバス３７に渡された体温検出データを図５に示す検温処理手順ＲＴ０に従って演算処理を実行する。
【００４０】
ＣＰＵ３８は、検温処理手順ＲＴ０に入ると、ステップＳＰ１において被験者が操作入力部４０から検温開始命令を入力するのを待ち受け、開始命令が与えられたときステップＳＰ２においてプログラムメモリ３９のプログラムが検温時刻データを発生するごとにステップＳＰ３において、体温検出データを体温検出データメモリ４５に取り込む。
【００４１】
この実施の形態の場合、体温検出データメモリ４５は、図６に示すように、検温日時データＤＡＴＡの検温日時データＤＴＡ１、ＤＴＡ２……が発生されるごとに第１及び第２の温度データＤＴＢ（ＤＴＢ１、ＤＴＢ２……）及びＤＴＣ（ＤＴＣ１、ＤＴＣ２……）を蓄積して行く。
【００４２】
これにより体温データ処理部３は第１及び第２の温度センサ１１Ａ及び１１Ｂの体腔１２の体腔入口１２Ａからの留置距離Ｄ１及びＤ２（この実施の形態の場合Ｄ１＝６〔ｃｍ〕及びＤ２＝９〔ｃｍ〕）における体温、従って皮膚温ではなく胴部深部の体温を、時間の経過に従って逐次体温検出データメモリ４５に蓄積して行くことになる。
【００４３】
ここで体温検出データメモリ４５において、各検温日時データＤＴＡの検温時刻ＤＴＡ１、ＤＴＡ２……ごとに、第１及び第２の温度データＤＴＢ（ＤＴＢ１、ＤＴＢ２……）及びＤＴＣ（ＤＴＣ１、ＤＴＣ２……）の差分データＤＴＣ１−ＤＴＢ１、ＤＴＣ２−ＤＴＢ２……を取れば、当該差分データの値は、体腔入口１２Ａに近い留置位置Ｐ１に留置されている第１の温度センサ１１Ａによって検出された体温から、留置間隔ＤＸだけ深部の留置位置Ｐ２に留置されている第２の温度センサ１１Ａの検出温度への温度勾配を表している。
【００４４】
この温度勾配は、体腔入口１２Ａの外部温度を基準にして、第１及び第２の温度センサ１１Ａ及び１１Ｂまでの留置距離Ｄ１及びＤ２まで体腔１２の部分を温度が伝達した結果であるから、体腔入口１２Ａの温度から、留置距離Ｄ１及びＤ２に対応するように体腔入口１２Ａの外気温より体温が高くなることにより、生起するものである。
【００４５】
また留置位置Ｄ１より深い位置にある留置位置Ｐ２の体温は、留置間隔ＤＸ分の温度伝達に基づいて留置位置Ｐ１より高い温度になっている。
【００４６】
続いてＣＰＵ３８は、検温処理手順ＲＴ０のステップＳＰ４において、当該検出温度及び温度勾配と、基準データメモリ５１に格納されている基準データによって示される基準温度及び温度勾配とに基づいて、胴部深部温度を判定して、表示警告部５２に表示すると共に、胴部深部温度データメモリ５３に蓄積する。
【００４７】
基準データメモリ５１は、冷えの訴えのない標準女性について、予め体腔入口１２Ａ（この実施の形態の場合膣入口）からの深部方向への複数の距離を表す距離データごとに、測温により得た測温データを、図７に示す基準データＶＴとして、格納している。
【００４８】
この実施の形態の場合、基準データＶＴは、測温時の外気温が２３、１６及び９〔°Ｃ〕（このときの舌下温は３６．９９、３６．８６及び３６．７６〔°Ｃ〕）のときの測温データ列ＶＴＢ、ＶＴＣ及びＶＴＤを含み、測温データ列ＶＴＢ、ＶＴＣ及びＶＴＤは、距離データＶＴＡが０、３、……１５〔ｃｍ〕のとき（３５．８８、３６．８……３７．４１）、（３５．４、３６．５６……３７．３１）及び（３４．６６、３６．３１……３７．２６）〔°Ｃ〕の測温温度データを含んでいる。
【００４９】
この基準データメモリ５１に格納されている基準データＶＴを、図８に示すように、体腔入口１２Ａとしての膣口からの距離Ｄ〔ｃｍ〕を横軸に取ると共に、測温温度Ｔ〔°Ｃ〕を縦軸に取った２次元表示に置き換えてみると、各外気温２３、１６及び９〔°Ｃ〕の特性曲線Ｋ１、Ｋ２及びＫ３について、膣口からの距離Ｄが深部に行くに従って、それぞれ個有の温度勾配を呈しながら、体温が上昇していく関係にあることが分かる。
【００５０】
これに加えて膣口からの距離Ｄが大きくなるに従って、各外気温間に対応する特性曲線の温度差が小さくなっていくように収束していることが分かる。
【００５１】
このような基準データメモリ５１に格納されている基準データＤＴを基準にして、ＣＰＵ３８は、第１及び第２の温度センサ１１Ａ及び１１Ｂから得られる検出温度データを評価することにより、胴部深部温度を判定する。
【００５２】
この実施の形態の場合、第１及び第２の温度センサ１１Ａ及び１１Ｂは、それぞれ体腔入口１２ＡからＤ１＝６〔ｃｍ〕及びＤ２＝９〔ｃｍ〕の留置位置Ｐ１及びＰ２に留置されているので、体温検出データメモリ４５に取り込まれた温度検出データとして、第１の留置位置Ｐ１及び第２の留置位置Ｐ２の温度及び第１の留置位置Ｐ１から第２の留置位置Ｐ２への温度勾配が、３７．０９〔°Ｃ〕から３７．３〔°Ｃ〕に立ち上がるような関係になっていれば、ＣＰＵ３８は、外気温が２３〔°Ｃ〕における測温データ列ＶＴＢの基準データＶＴに基づいて体腔入口１２Ａから１５〔ｃｍ〕の胴部深部の位置における胴部深部温度が３７．４１〔°Ｃ〕であると判定する。
【００５３】
同様にして、測温データ列ＶＴＣに基づいて、留置位置Ｐ１及びＰ２における第１及び第２の温度センサ１１Ａ及び１１Ｂの温度検出データＤＴＢ及びＤＴＣが、３６．８８〔°Ｃ〕から３７．０７〔°Ｃ〕に立ち上がるような温度及び温度勾配をもっているとき、ＣＰＵ３８は外気温が１６〔°Ｃ〕で、１５〔ｃｍ〕の胴部深部温度が３７．３１〔°Ｃ〕であると判定する。
【００５４】
さらに測温データ列ＶＴＤの関係から、第１及び第２の留置位置Ｐ１及びＰ２の温度検出データが３６．７６〔°Ｃ〕から３６．９８〔°Ｃ〕に立ち上がるような温度及び温度勾配をもっているとき、外気温が９〔°Ｃ〕で、１５〔ｃｍ〕の胴部深部温度が３７．２６〔°Ｃ〕であると判定する。
【００５５】
このように、冷えを訴えていない標準の女性において、気温が２３、１６及び９〔°Ｃ〕において、胴部深部温度は３７．４１、３７．３１及び３７．２６〔°Ｃ〕であると評価することができ、この胴部深部温度は舌下温の測定結果が３６．９９〔°Ｃ〕、３６．８６〔°Ｃ〕及び３６．７６〔°Ｃ〕と比較してかなり高い体温であることが分かる。
【００５６】
これに対して、第１及び第２の温度センサ１１Ａ及び１１Ｂによる温度検出データが、外気温２３、１６及び９〔°Ｃ〕の特性曲線Ｋ１、Ｋ２及びＫ３からはずれた温度を示している場合、例えば特性曲線Ｋ１及びＫ２間の温度を示している場合には、外気温は２３〜１６〔°Ｃ〕で、１５〔ｃｍ〕における胴部深部温度は３７．４１〜３７．３１〔°Ｃ〕であると判定できる。
【００５７】
また第１及び第２の温度センサ１１Ａ及び１１Ｂの温度検出データが、特性曲線Ｋ２及びＫ３間の温度を示している場合には、外気温は１６〜９〔°Ｃ〕で、１５〔ｃｍ〕における胴部深部温度は３７．３１〜３７．２６〔°Ｃ〕であると判定できる。
【００５８】
さらに、第１及び第２の温度センサ１１Ａ及び１１Ｂの温度検出データが、外気温が９〔°Ｃ〕の特性曲線Ｋ３以下の温度を示している場合であっても、当該温度検出データが特性曲線Ｋ３の温度及び温度勾配に近似していれば、１５〔ｃｍ〕における胴部深度温度は、ほぼ３７．２６〔°Ｃ〕に近い温度であると判定できる。
【００５９】
因に、特性曲線Ｋ１、Ｋ２及びＫ３は、距離Ｄが胴部深部である１５〔ｃｍ〕に近づけば互いに集束して行くから、第１及び第２の温度検出データが特性曲線の温度及び温度勾配に近似していれば、胴部深部温度は特性曲線Ｋ３近傍の値であると判定できる。
【００６０】
しかしながら、第１及び第２の温度センサ１１Ａ及び１１Ｂの温度検出データが、特性曲線Ｋ３の温度及び温度勾配とは近似しているとは言えないような低い値を表している場合は、当該被験者の膣内の温度分布は冷えを訴えていない標準の女性の膣内の温度分布とは異なる低い温度分布をもっており、従って胴部深部温度が異常に低い温度であると判定できる。
【００６１】
かくしてステップＳＰ４において、基準データＶＴに基づいて検出温度を評価することにより胴部深部温度を判定して表示・蓄積した後、ＣＰＵ３８は、次のステップＳＰ５において胴部深部温度データメモリ５３に蓄積した温度検出データが異常か否かの判断をし、異常ではないときステップＳＰ６に移って操作入力部４０において検温終了命令が入力されていないことを確認すると、上述のステップＳＰ２に戻って次の検温時刻になったとき上述のステップＳＰ２−ＳＰ３−ＳＰ４の検温処理を繰り返す。
【００６２】
これに対してステップＳＰ５において異常であると判断したとき、ＣＰＵ３８はステップＳＰ７に移って「警告」情報を表示・警告部５２に表示すると共に、当該警告情報を胴部深部温度データメモリ５３に蓄積した後ステップＳＰ６に進む。
【００６３】
この実施の形態の場合、ＣＰＵ３８がステップＳＰ５で異常と判定したことは、第１及び第２の温度センサ１１Ａ及び１１Ｂの温度検出データが標準の女性の場合より低いことに基づいて胴部深部温度が異常に低いことを意味しており、これにより体温検出対象である被験者の冷えの原因の可能性を予測できることになる。
【００６４】
かかるステップＳＰ７の処理をした後、ＣＰＵ３８は上述のステップＳＰ６に移って次の検温時刻における検温処理を繰り返す。
【００６５】
やがて、操作入力部４０によって検温終了指示命令が入力されたことを確認すれば、ＣＰＵ３８はステップＳＰ８に移って当該検温処理手順ＲＴ０を終了する。
【００６６】
この実施の形態の場合、ＣＰＵ３８は操作入力部４０を介して蓄積データ出力命令が入力されたとき、体温検出データメモリ４５及び胴部深部温度データメモリ５３に蓄積されたデータを、検温結果データＳ２として出力部８０から外部に供給できる。
【００６７】
以上の構成において、被験者が挿入用具３０の皮膚当接シート部材３０Ａを利用して挿入具２１を体腔１２内に挿入操作することにより、第１及び第２の温度センサ１１Ａ及び１１Ｂを所定の留置位置Ｐ１及びＰ２に留置した状態において、操作入力部４０から検温開始命令を入力すれば、ＣＰＵ３８は検温処理手順ＲＴ０を実行する。
【００６８】
ＣＰＵ３８はステップＳＰ２において検温時刻になるごとに第１及び第２の温度センサ１１Ａ及び１１Ｂの体温検出信号Ｓ１１及びＳ１２を導出線１４Ａ及び１４Ｂ、コネクタ１５及び３５を順次介して体温データ処理部３の体温検出信号入力部３６から体温検出データを取り込んで、ステップＳＰ４において体温検出データの温度及び温度勾配に基づいて胴部深部温度を判定して表示・警告部５０に表示すると共に、胴部深部温度データメモリ５３に蓄積して行く。
【００６９】
当該検温処理動作時に、例えば体腔１２の体温が異常に低ければ、ＣＰＵ３８はこれをステップＳＰ５において確認してステップＳＰ７において胴部深部温度が異常に低いと判定して警告情報を胴部深部温度データメモリ５３に取り込む。
【００７０】
以上の構成によれば、体腔１２内の温度分布を第１及び第２の留置位置Ｐ１及びＰ２に留置された第１及び第１の温度センサ１１Ａ及び１１Ｂの検出温度データに基づいて判定できると共に、当該判定結果を時間の経過に従って胴部深部温度データメモリ５３に蓄積することができることにより、被験者の胴部深部体温の変化の経過を確実に検出することができる。
【００７１】
これにより体腔１２の温度が異常に低い場合の体の健康との関連を客観的に評価し易くなる。
【００７２】
因に若い女性について、ルーズソックスや極端なミニスカートの着用によって、下半身に長期にわたる冷えがあれば、生殖器の発育不全に基づく不妊の原因になるおそれがあるとすれば、体温検出データメモリ４５及び胴部深部温度データメモリ５３に蓄積された温度データにより予測できる可能性がある。
【００７３】
（２）第２の実施の形態
図９は第２の実施の形態における挿入具６０を示す。
【００７４】
この挿入具６０は体腔内の温度として大腸内の温度を検温するもので、体腔内の留置治具としてのプローブ本体６１の先端部に第１の温度センサ１１Ａ及び第２の温度センサ１１Ｂを有する。
【００７５】
第１及び第２の温度センサ１１Ａ及び１１Ｂは留置位置Ｐ１及びＰ２に配設され、その温度検出信号はプローブ本体６１の中心軸位置に延長する基板６２を通ってプローブ本体６１の後端部に導出される。
【００７６】
基板６２の後端部には引出し線６３Ａ及び６３Ｂが開口６４を通じて外部に引き出されるように設けられ、その終端に検出素子側コネクタ１５が接続されている。
【００７７】
かくして第１及び第２の温度センサ１１Ａ及び１１Ｂにおいて検出された温度検出信号が、基板６２並びに引出し線６３Ａ及び６３Ｂを介して検出素子側コネクタ１５に導出され、これがデータ処理部側コネクタ３５を通じて体温検出信号Ｓ１（Ｓ１１、Ｓ１２）として体温データ処理部３（図１）に供給される。
【００７８】
この実施の形態の場合、第１温度センサ１１Ａは、プローブ本体６１の先端に円柱状シース材７１を介して設けられたステンレス性の円筒状キャップ部材７２の内面に固着されている。
【００７９】
キャップ部材７２の先端には、円柱状のシース材７３を介して先端が半球状に閉塞されたステンレス性のキャップ部材７４が設けられて、その内部先端面に第２の温度センサ１１Ｂが固着されている。
【００８０】
以上の構成において、挿入具６０の留置治具を構成するプローブ本体６１は深部温度を検出すべき体腔でなる大腸に、プローブ本体６１の先端側から挿入され、プローブ本体６１の根元側に設けられたストッパ７５が体腔入口である大腸入口に当接する状態に挿入位置決めされる。
【００８１】
このとき、ストッパ７５が大腸入口に当接する体腔入口位置Ｐ０から留置距離Ｄ１の留置位置Ｐ１に第１の温度センサ１１Ａが留置されると共に、当該留置位置Ｐ１より留置間隔ＤＸ２だけ奥の留置位置Ｐ２（体腔入口位置Ｐ０から留置距離Ｄ２の位置）に第２の温度センサＤ２を留置した状態になる。
【００８２】
かくして体腔である大腸内において深さ位置が異なる留置位置Ｐ１及びＰ２における大腸の内壁の温度を体温データ処理部３に取り込むことができる。
【００８３】
かくして図５について上述したと同様にして、第１及び第２の温度センサ１１Ａ及び１１Ｂによって検出した体腔内の２点の留置位置における検出温度及びその温度勾配と基準データとの評価結果に基づいて胴部深部温度を判定して体温データ処理部３（図１）の胴部深部温度データメモリ５３に時間の経過に従った検温結果データとして蓄積することができる。
【００８４】
従ってこの場合も、判定した胴部深部温度が異常に低くなれば、これを確実にユーザに対して警告することができる。
【００８５】
（３）他の実施の形態
上述の実施の形態においては、胴部深部温度を評価するための検出温度として、体腔内の２点の温度を検出するようにしたが、温度検出位置としては２点に限らず、３点以上の温度を検出し、当該検出結果を基準測温データ（図６及び図７）に基づいて胴部深部温度を評価するようにしても、上述の場合と同様の効果を得ることができる。
【００８６】
また、上述の実施の形態においては、温度センサを留置する体腔として膣及び大腸を用いたが、これに限らず、例えば尿道などの体腔を用いようにしても良い。
【００８７】
また、上述の実施の形態においては、第１及び第２の温度センサ１１Ａ及び１１Ｂをサーミスタで構成した場合について述べたが、温度センサとしてはこれに限らず、熱伝対、半導体センサなど他の構成のものを用いても良い。
【００８８】
また、体温検出部２から体温データ処理部３に体温検出信号Ｓ１（Ｓ１１及びＳ１２）を渡す手段として、有接点型のコネクタ１５及び３５を用いた場合について述べたが、検出信号を渡す手段としては、これに限らず、磁気結合型コネクタ、静電結合型コネクタを用いていることにより非接触で伝達するようにしたものを用いても良い。
【００８９】
また、上述の実施の形態においては体温検出部２から得られる体温検出信号Ｓ１（Ｓ１１及びＳ１２）をコネクタ１５及び３５を介して体温データ処理部３に取り込むようにした場合について述べたが、コネクタ１５及び３５を省略して、体温検出信号Ｓ１を直接体温データ処理部３の体温検出信号入力部３６に接続するようしても良い。
【００９０】
また、上述の実施の形態において、体腔内に挿入する挿入具２１及び６０について、その外表面に潤滑を目的とした浸水性コーティングを施せば、挿入部２１及び６０の挿入引出し操作を一段と容易にすることができる。
【００９１】
また、上述の実施の形態においては、胴部深部温度と評価する体腔内の深さ位置を体腔入口から１５〔ｃｍ〕に選定した場合について述べたが、当該深さ位置を他の位置を選定するようにしても良い。
【００９２】
また、上述の実施の形態においては、図４に示すように、体温データ処理部３を皮膚当接シート部材３０Ａに埋め込むようにしたが、これに代え、体腔１２の体腔入口１２Ａ近傍位置にある、ナプキン、ショーツ、避妊用ＩＵＤ、ペッサリなどに配設され、必要に応じてデータ処理部側コネクタ３５と検出素子側コネクタ１５とを切り離すことにより、体温検出部２又は体温データ処理部３をそれぞれ単独に取り扱うことができるようにしても良い。
【産業上の利用可能性】
【００９３】
本発明は女性の胴部の深部体温を検温する場合に利用できる。
【符号の説明】
【００９４】
１……体腔内留置モニタ、２……体温検出部、３……体温データ処理部、１１Ａ、１１Ｂ……第１、第２の温度センサ、１２……体腔、１２Ａ……体腔入口、１３……留置治具、１４Ａ、１４Ｂ……導出線、２１……挿入部、２２……膨出部、２３……外筒、２４……内筒、２５……タンポン、２６……押出し部材、２７……扉部材、２８……鍔部、３５……データ処理側コネクタ、３６……体温検出信号入力部、３７……バス、３８……中央処理ユニット（ＣＰＵ）、４５……体温検出データメモリ、５１……基準データメモリ、５２……表示警告部、５３……胴部深部温度データメモリ、６０……挿入部、６１……プローブ本体、６２……基板、６４……開口、７１、７３……シース材、７２、７４……キャップ部材。
【図１】
2010233641.tif 000003
【図２】
2010233641.tif 000004
【図３】
2010233641.tif 000005
【図４】
2010233641.tif 000006
【図５】
2010233641.tif 000007
【図６】
2010233641.tif 000008
【図７】
2010233641.tif 000009
【図８】
2010233641.tif 000010
【図９】
2010233641.tif 000011